(57)【特許請求の範囲】
【請求項１】
建物の躯体外に断熱材を配設する外断熱構造の建物において、前記躯体に外壁材を取り付けるための外断熱用外壁材取付金具であって、一枚の金属板をプレス加工により成形してなり、
前記躯体側から前方に突出することとなるように配設された前方張り出し部と、
前記前方張り出し部の後端部から立ち上がっており、前記躯体自体または前記躯体に取り付けられた下地材に沿わされた状態で、間に前記断熱材を介在させることなく前記躯体または前記下地材に取り付けられる基部と、
この基部に設けられた、前記躯体または前記下地材に螺入されるビスを挿通するためのビス穴または（および）前記躯体または前記下地材に打ち込まれる釘を挿通するための釘穴と、
前記前方張り出し部の前端部から立ち上がっている前面部と、
前記前面部に設けられており、前記外壁材の一端部を係合される外壁材係合部と、
前記断熱材の前面に対接される断熱材対接部と、
前記前方張り出し部と前記断熱材対接部と前記躯体または前記下地材との間となる部分に形成されており、前記外壁材の裏面と前記断熱材の前面との間に通気層が形成されるようにして、前記断熱材の一端部を受け入れる断熱材受け入れ部とを有してなり、
前記基部と前記前面部は、前記前方張り出し部から同じ向きに立ち上がっており、
前記前方張り出し部は、平面状をなす前方張り出し部平面状部と、この前方張り出し部平面状部の両側端部から立ち上がる前方張り出し部立ち上がり縁部とを有し、
前記基部は、平面状をなす基部平面状部と、この基部平面状部の両側端部から立ち上がる基部立ち上がり縁部とを有し、
前記前面部は、平面状をなす前面部平面状部と、この前面部平面状部の両側端部から立ち上がる前面部立ち上がり縁部とを有し、
前記前方張り出し部平面状部、前記前方張り出し部立ち上がり縁部、前記基部平面状部、前記基部立ち上がり縁部、前記前面部平面状部および前記前面部立ち上がり縁部は、前記一枚の金属板をプレス絞り加工することにより形成されており、
前記前方張り出し部立ち上がり縁部と前記基部立ち上がり縁部、および前記前方張り出し部立ち上がり縁部と前記前面部立ち上がり縁部とは、それぞれ互いに連続しており、
前記外壁材係合部は、少なくとも、前記前面部の一部を切り起こして形成された部分と前記前面部とで構成されている外断熱用外壁材取付金具。
【請求項２】
前記前方張り出し部は前記前方張り出し部立ち上がり縁部の先端縁から外側に折れ曲がる前方張り出し部フランジ部、前記基部は前記基部立ち上がり縁部の先端縁から外側に折れ曲がる基部フランジ部、前記前面部は前記前面部立ち上がり縁部の先端縁から外側に折れ曲がる前面部フランジ部をそれぞれさらに有し、
前記前方張り出し部フランジ部と前記基部フランジ部、および前記前方張り出し部フランジ部と前記前面部フランジ部とは、それぞれ互いに連続している請求項１記載の外断熱用外壁材取付金具。
【請求項３】
複数の外壁材をこれらの外壁材の端部を互いに突き合わせた状態で前記躯体自体または前記下地材に取り付けるための外断熱用外壁材取付金具であって、
前記外壁材係合部は、第一の外壁材係合部および第二の外壁材係合部を有し、前記第一の外壁材係合部は一の外壁材の一端部に係合される一方、前記第二の外壁材係合部は前記一の外壁材に突き合わされる他の外壁材の一端部に係合される請求項１または２記載の外断熱用外壁材取付金具。
【請求項４】
前記前面部の一部を切り起こして形成された部分は、前方に突出する前方突出片と、この前方突出片の先端部から折り曲げられた第一の折り曲げ片と、前記前方突出片の先端部から前記第一の折り曲げ片とは反対方向に折り曲げられた第二の折り曲げ片とを有してなり、
前記前方突出片および前記第一の折り曲げ片は前記第一の外壁材係合部の一部を構成し、前記前方突出片および前記第二の折り曲げ片は前記第二の外壁材係合部の一部を構成する請求項３記載の外断熱用外壁材取付金具。
【請求項５】
建物の躯体外に断熱材を配設する外断熱構造の建物において、前記躯体に外壁材取付金具を介して外壁材を取り付けた外断熱外壁構造であって、
前記外壁材取付金具は、一枚の金属板をプレス加工により成形してなり、前記躯体側から前方に突出することとなるように配設された前方張り出し部と、前記前方張り出し部の後端部から立ち上がっているとともに、前記躯体または前記下地材に螺入されるビスを挿通するためのビス穴または（および）前記躯体または前記下地材に打ち込まれる釘を挿通するための釘穴を設けられており、前記躯体自体または前記躯体に取り付けられた下地材に沿わされた状態で、間に前記断熱材を介在させることなく、前記ビス穴または釘穴を用いて前記ビスまたは釘により前記躯体または前記下地材に取り付けられた基部と、前記前方張り出し部の前端部から立ち上がっている前面部と、前記前面部に設けられており、前記外壁材の一端部を係合された外壁材係合部と、前記断熱材の前面に対接される断熱材対接部と、前記前方張り出し部と前記断熱材対接部と前記躯体または前記下地材との間となる部分に形成されており、前記断熱材の一端部を受け入れる断熱材受け入れ部とを有してなり、
前記基部と前記前面部は、前記前方張り出し部から同じ向きに立ち上がっており、
前記前方張り出し部は、平面状をなす前方張り出し部平面状部と、この前方張り出し部平面状部の両側端部から立ち上がる前方張り出し部立ち上がり縁部とを有し、
前記基部は、平面状をなす基部平面状部と、この基部平面状部の両側端部から立ち上がる基部立ち上がり縁部とを有し、
前記前面部は、平面状をなす前面部平面状部と、この前面部平面状部の両側端部から立ち上がる前面部立ち上がり縁部とを有し、
前記前方張り出し部平面状部、前記前方張り出し部立ち上がり縁部、前記基部平面状部、前記基部立ち上がり縁部、前記前面部平面状部および前記前面部立ち上がり縁部は、前記一枚の金属板をプレス絞り加工することにより形成されており、
前記前方張り出し部立ち上がり縁部と前記基部立ち上がり縁部、および前記前方張り出し部立ち上がり縁部と前記前面部立ち上がり縁部とは、それぞれ互いに連続しており、
前記断熱材は、一端部を前記断熱材受け入れ部に受け入れられることにより、前記外壁材の裏面と前記躯体または前記下地材との間に収容されており、かつ前記外壁材の裏面と前記断熱材の前面との間に通気層が形成されている外断熱外壁構造。
【発明の詳細な説明】
【技術分野】
【０００１】
本発明は、建物の躯体外に断熱材を配設する所謂外断熱構造の建物において、前記躯体に外壁材（外装材等と称されることもある）を取り付けるための外壁材取付金具、およびこの外壁材取付金具を用いた外断熱外壁構造に関する。
【背景技術】
【０００２】
「外断熱」とは、建物の躯体外に断熱材を配設する工法である。なお、木造あるいは鉄骨造等の、躯体に蓄熱効果のない建物の場合は、「外断熱」ではなく、「外張断熱」または「外側断熱」と称すべきであるとする考え方もあるが、本願ではこのような区別はせず、「外断熱」の語で総称するものとする。
【０００３】
従来、建物の躯体外に断熱材を配設する外断熱構造の建物において、前記躯体に外壁材取付金具を介して外壁材を取り付ける工法として、次のようなものが知られている。
【０００４】
（ａ）例えば、特許文献１の図１２，１３および１６に示されているように、躯体または下地材の前面に断熱材を配設し、さらにこの断熱材の前面に外壁材取付金具の後背部を当接し（これにより、外壁取付金具が断熱材を介して躯体または下地材に当接されることになる）、外壁取付金具に挿通したビスを、断熱材を貫通させて、躯体または下地材にねじ込むことにより、外壁取付金具を躯体に取り付け、該取付金具を介して外壁材を躯体に取り付ける工法。
【０００５】
（ｂ）例えば、特許文献２の図１〜４に示されているように、躯体または下地材の前面に断熱材を配設するとともにこの断熱材の前面に胴縁を配設し、さらにこの胴縁の前面に取付金具をビス等で取り付け、該取付金具を介して外壁材を躯体に取り付ける工法。
【０００６】
（ｃ）例えば、特許文献１の図３に示されているように、躯体を構成する柱の前面に外壁材取付金具をビス等で取り付け、断熱材は前記柱間に配設する工法。
【先行技術文献】
【特許文献】
【０００７】
【特許文献１】特開２００２−１２９７２９号公報
【特許文献２】特開２００５−２７４７号公報
【発明の概要】
【発明が解決しようとする課題】
【０００８】
しかしながら、（ａ）の工法では、断熱材にビスを貫通させるため、長いビスを使用する必要があり、外壁材取付金具のビス留め作業の作業性が悪くなるとともに、ビスのねじ込み方向が不正になる等により、躯体に対する外壁材取付金具の取付強度が低下する虞があるという問題があった。そして、寒冷地向けの場合のように断熱材の厚さが厚くなる場合は、この欠点はより大きくなる。
【０００９】
また、比較的に柔らかな断熱材の前面に外壁材取付金具が押圧されるので、断熱材が変形し、外壁材取付金具が傾斜してしまい、外壁材に不陸が生じたり、外壁材の取付強度が低下したりする虞がある。
【００１０】
また、（ｂ）の工法では、断熱材の前面に胴縁を配設することによって、断熱材と外壁材との間に通気層を確保できる（通気層がないと、吸水による外壁材や躯体の腐食・劣化
が生じる虞がある）が、断熱材の前面に胴縁を配設する必要があるため、構成部材が多くなり、施工作業性が悪くなるとともに、コストの上昇を招くという問題があった。
【００１１】
さらに、（ｃ）の工法では、柱により断熱材層が分断されてしまうので、断熱性能が低下する虞があるという問題があった。
【００１２】
本発明は、このような従来の事情に鑑みてなされたもので、本発明の目的の一つは、躯体または下地材と外壁材取付金具との間に断熱材を配設し、外壁取付金具用ビスや釘を、断熱材を貫通させて、躯体または下地材にねじ込んだり打ち込んだりする必要がない外断熱用外壁材取付金具および外断熱外壁構造を提供することにある。
【００１３】
本発明の他の目的は、断熱材の前面に胴縁を配設することなく、断熱材と外壁材との間に通気層を確保することができる外断熱用外壁材取付金具および外断熱外壁構造を提供することにある。
【００１４】
本発明の他の目的は、断熱材の層を、柱等により分断されることなく、連続させることができる外断熱用外壁材取付金具および外断熱外壁構造を提供することにある。
【００１５】
本発明の他の目的は、施工作業性がよい外断熱用外壁材取付金具および外断熱外壁構造を提供することにある。
【００１６】
本発明の他の目的は、寒冷地向け等のために断熱材の厚さを特に厚くすることも可能な外断熱用外壁材取付金具および外断熱外壁構造を提供することにある。
【００１７】
本発明のさらに他の目的は、以下の説明から明らかになろう。
【課題を解決するための手段】
【００１８】
本発明の外断熱用外壁材取付金具は、
建物の躯体外に断熱材を配設する外断熱構造の建物において、前記躯体に外壁材を取り付けるための外断熱用外壁材取付金具であって、一枚の金属板をプレス加工により成形してなり、
前記躯体側から前方に突出することとなるように配設された前方張り出し部と、
前記前方張り出し部の後端部から立ち上がっており、前記躯体自体または前記躯体に取り付けられた下地材に沿わされた状態で、間に前記断熱材を介在させることなく前記躯体または前記下地材に取り付けられる基部と、
この基部に設けられた、前記躯体または前記下地材に螺入されるビスを挿通するためのビス穴または（および）前記躯体または前記下地材に打ち込まれる釘を挿通するための釘穴と、
前記前方張り出し部の前端部から立ち上がっている前面部と、
前記前面部に設けられており、前記外壁材の一端部を係合される外壁材係合部と、
前記断熱材の前面に対接される断熱材対接部と、
前記前方張り出し部と前記断熱材対接部と前記躯体または前記下地材との間となる部分に形成されており、前記外壁材の裏面と前記断熱材の前面との間に通気層が形成されるようにして、前記断熱材の一端部を受け入れる断熱材受け入れ部とを有してなり、
前記基部と前記前面部は、前記前方張り出し部から同じ向きに立ち上がっており、
前記前方張り出し部は、平面状をなす前方張り出し部平面状部と、この前方張り出し部平面状部の両側端部から立ち上がる前方張り出し部立ち上がり縁部とを有し、
前記基部は、平面状をなす基部平面状部と、この基部平面状部の両側端部から立ち上がる基部立ち上がり縁部とを有し、
前記前面部は、平面状をなす前面部平面状部と、この前面部平面状部の両側端部から立ち上がる前面部立ち上がり縁部とを有し、
前記前方張り出し部平面状部、前記前方張り出し部立ち上がり縁部、前記基部平面状部、前記基部立ち上がり縁部、前記前面部平面状部および前記前面部立ち上がり縁部は、前記一枚の金属板をプレス絞り加工することにより形成されており、
前記前方張り出し部立ち上がり縁部と前記基部立ち上がり縁部、および前記前方張り出し部立ち上がり縁部と前記前面部立ち上がり縁部とは、それぞれ互いに連続しており、
前記外壁材係合部は、少なくとも、前記前面部の一部を切り起こして形成された部分と前記前面部とで構成されているものである。
【００１９】
本発明の外断熱外壁構造は、
建物の躯体外に断熱材を配設する外断熱構造の建物において、前記躯体に外壁材取付金具を介して外壁材を取り付けた外断熱外壁構造であって、
前記外壁材取付金具は、一枚の金属板をプレス加工により成形してなり、前記躯体側から前方に突出することとなるように配設された前方張り出し部と、前記前方張り出し部の後端部から立ち上がっているとともに、前記躯体または前記下地材に螺入されるビスを挿通するためのビス穴または（および）前記躯体または前記下地材に打ち込まれる釘を挿通するための釘穴を設けられており、前記躯体自体または前記躯体に取り付けられた下地材に沿わされた状態で、間に前記断熱材を介在させることなく、前記ビス穴のまたは釘穴を用いて前記ビスまたは釘により前記躯体または前記下地材に取り付けられた基部と、前記前方張り出し部の前端部から立ち上がっている前面部と、前記前面部に設けられており、前記外壁材の一端部を係合された外壁材係合部と、前記断熱材の前面に対接される断熱材対接部と、前記前方張り出し部と前記断熱材対接部と前記躯体または前記下地材との間となる部分に形成されており、前記断熱材の一端部を受け入れる断熱材受け入れ部とを有してなり、
前記基部と前記前面部は、前記前方張り出し部から同じ向きに立ち上がっており、
前記前方張り出し部は、平面状をなす前方張り出し部平面状部と、この前方張り出し部平面状部の両側端部から立ち上がる前方張り出し部立ち上がり縁部とを有し、
前記基部は、平面状をなす基部平面状部と、この基部平面状部の両側端部から立ち上がる基部立ち上がり縁部とを有し、
前記前面部は、平面状をなす前面部平面状部と、この前面部平面状部の両側端部から立ち上がる前面部立ち上がり縁部とを有し、
前記前方張り出し部平面状部、前記前方張り出し部立ち上がり縁部、前記基部平面状部、前記基部立ち上がり縁部、前記前面部平面状部および前記前面部立ち上がり縁部は、前記一枚の金属板をプレス絞り加工することにより形成されており、
前記前方張り出し部立ち上がり縁部と前記基部立ち上がり縁部、および前記前方張り出し部立ち上がり縁部と前記前面部立ち上がり縁部とは、それぞれ互いに連続しており、
前記断熱材は、一端部を前記断熱材受け入れ部に受け入れられることにより、前記外壁材の裏面と前記躯体または前記下地材との間に収容されており、かつ前記外壁材の裏面と前記断熱材の前面との間に通気層が形成されているものである。
【００２０】
本発明においては、外壁材取付金具は躯体に断熱材を介することなく取り付けられ、外壁材の裏面と躯体または下地材との間に断熱材が収容されるので、前記従来の工法（ａ）のように、躯体または下地材と外壁材取付金具との間に断熱材を配設し、外壁取付金具用ビスや釘を、断熱材を貫通させて、躯体または下地材にねじ込んだり、打ち込んだりする必要がないし、前記従来の工法（ｂ）のように、断熱材の前面に胴縁を配設することなく、断熱材と外壁材との間に通気層を確保することができる。
【００２１】
したがって、施工作業性がよく、また寒冷地向け等のために断熱材の厚さを特に厚くすることも可能である。
【００２２】
また、前記従来の（ｃ）の工法と異なり、断熱材の層を、柱等により分断されることなく、連続させることができ、断熱性能を高めることができる。
【００２３】
本発明の外断熱用外壁材取付金具および外断熱外壁構造においては、前記外壁材取付金具の前方張り出し部は、平面状をなす前方張り出し部平面状部と、この前方張り出し部平面状部の両側端部から立ち上がる前方張り出し部立ち上がり縁部とを有し、外壁材取付金具の基部は、平面状をなす基部平面状部と、この基部平面状部の両側端部から立ち上がる基部立ち上がり縁部とを有し、外壁材取付金具の前面部は、平面状をなす前面部平面状部と、この前面部平面状部の両側端部から立ち上がる前面部立ち上がり縁部とを有する。
【００２４】
本発明においては、外壁材取付金具の前方張り出し部の直上・直下（縦貼りの場合、真横）に断熱材が収容されるので、前方張り出し部が前方に張り出す寸法が不可避的に大きくなるが、上述の態様とすることにより、比較的に薄い板厚で十分な強度を得ることができる。
【００２５】
さらに、前記外壁材取付金具の前方張り出し部平面状部、前方張り出し部立ち上がり縁部、基部平面状部、基部立ち上がり縁部、前面部平面状部および前面部立ち上がり縁部を、一枚の金属板をプレス絞り加工することにより形成し、前方張り出し部立ち上がり縁部と基部立ち上がり縁部、および前方張り出し部立ち上がり縁部と前面部立ち上がり縁部とがそれぞれ互いに連続するようにするので、比較的に薄い板厚で、より大きな強度を得ることができる。
【発明の効果】
【００２６】
本発明の外断熱用外壁材取付金具および外断熱外壁構造は、
（イ）躯体または下地材と外壁材取付金具との間に断熱材を配設し、外壁取付金具用ビスや釘を、断熱材を貫通させて、躯体または下地材にねじ込んだり打ち込んだりする必要がない、
（ロ）断熱材の前面に胴縁を配設することなく、断熱材と外壁材との間に通気層を確保することができる、
（ハ）施工作業性がよく、また寒冷地向け等のために断熱材の厚さを特に厚くすることも可能である、
（ニ）断熱材の層を、柱等により分断されることなく、連続させることができ、断熱性能を高めることができる、
等の優れた効果を得られるものである。
【図面の簡単な説明】
【００２７】
【図１】本発明の実施例１における外断熱用外壁材取付金具を示す斜視図である。
【図２】前記実施例１における外断熱用外壁材取付金具を示す正面図である。
【図３】前記実施例１における外断熱用外壁材取付金具を示す平面図である。
【図４】前記実施例１における外断熱用外壁材取付金具を示す側面図である。
【図５】前記実施例１における外断熱用外壁材取付金具を示す底面図である。
【図６】図２のＶＩ−ＶＩ線における断面図である。
【図７】図３のＶＩＩ−ＶＩＩ線における断面図である。
【図８】図３のＶＩＩＩ−ＶＩＩＩ線における断面図である。
【図９】実施例１における外断熱外壁構造を示す断面図である。
【図１０】外壁材を所謂横貼りする様子を示す正面図である。
【図１１】外壁材を所謂縦貼りする様子を示す正面図である。
【図１２】所謂縦貼りをする場合の前記外壁材取付金具の取付方向を示す正面図である。
【図１３】本発明の実施例２における外断熱用外壁材取付金具を示す断面図である。
【図１４】実施例２における外断熱外壁構造を示す断面図である。
【図１５】本発明の参考例１における外断熱用外壁材取付金具を示す斜視図である。
【図１６】参考例１における外断熱用外壁材取付金具を示す正面図である。
【図１７】参考例１における外断熱用外壁材取付金具を示す平面図である。
【図１８】参考例１における外断熱用外壁材取付金具を示す側面図である。
【図１９】図１６のＸＩＸ−ＸＩＸ線における断面図である。
【図２０】図１６のＸＸ−ＸＸ線における断面図である。
【図２１】図１７のＸＸＩ−ＸＸＩ線における断面図である。
【図２２】参考例１における外断熱外壁構造を示す断面図である。
【図２３】参考例２における外断熱外壁構造を示す断面図である。
【図２４】前記参考例２における外断熱用外壁材取付金具を示す平面図である。
【発明を実施するための形態】
【００２８】
以下、本発明を図面に示す実施例に基づいて説明する。
【実施例１】
【００２９】
図１〜８は本発明の実施例１における外断熱用外壁材取付金具１を示している。この外壁材取付金具１は、鋼鉄、ステンレス鋼、アルミニウム合金等からなる１枚の金属板をプレス加工により成形してなり、前方張り出し部２、基部３、前面部４、第一および第二の外壁材係合部５，６、転倒防止片７並びに第一および第二の断熱材対接部８，９を一体的に有している。
【００３０】
前記前方張り出し部２は、全体として矩形状かつ平面状をなす前方張り出し部平面状部２ａと、この前方張り出し部平面状部２ａの両側端部から立ち上がる前方張り出し部立ち上がり縁部２ｂと、これらの前方張り出し部立ち上がり縁部２ｂの先端縁から外側かつ前方張り出し部平面状部２ａと平行方向に折れ曲がる前方張り出し部フランジ部２ｃとを有している。
【００３１】
前記基部３は、前方張り出し部２の後端部から直角方向に立ち上がっており、全体として矩形状かつ平面状をなす基部平面状部３ａと、この基部平面状部３ａの両側端部から前方直角方向に立ち上がる基部立ち上がり縁部３ｂと、これらの基部立ち上がり縁部３ｂの先端縁から外側かつ基部平面状部３ａと平行方向に折れ曲がる基部フランジ部３ｃとを有している。
【００３２】
前記前面部４は、前方張り出し部２の前端部から基部３と同じ向きに直角方向に立ち上がっており、全体として矩形状かつ平面状をなす前面部平面状部４ａと、この前面部平面状部４ａの両側端部から後方直角方向に立ち上がる前面部立ち上がり縁部４ｂと、これらの前面部立ち上がり縁部４ｂの先端縁から外側かつ前面部平面状部４ａと平行方向に折れ曲がる前面部フランジ部４ｃとを有している。
【００３３】
前記前方張り出し部平面状部２ａ、前方張り出し部立ち上がり縁部２ｂ、前方張り出し部フランジ部２ｃ、基部平面状部３ａ、基部立ち上がり縁部３ｂ、基部フランジ部３ｃ、前面部平面状部４ａ、前面部立ち上がり縁部４ｂおよび前面部フランジ部４ｃは、前記１枚の金属板をプレス絞り加工することにより形成されており、前方張り出し部立ち上がり縁部２ｂと基部立ち上がり縁部３ｂ、前方張り出し部立ち上がり縁部２ｂと前面部立ち上がり縁部４ｂ、前方張り出し部フランジ部２ｃと基部フランジ部３ｃ、および前方張り出し部フランジ部２ｃと前面部フランジ部４ｃとは、それぞれ互いに連続している。
【００３４】
前記前方張り出し部２のうちの前面部４寄りの部分には、前方張り出し部平面状部２ａの一部を切り起こすことにより、前記第一および第二の断熱材対接部８，９が設けられている。図１，６，８によく示されるように、前記第一の断熱材対接部８は前方張り出し部平面状部２ａから前面部４と反対側に立ち上がっている一方、前記第二の断熱材対接部９は前方張り出し部平面状部２ａから前面部４側に立ち上がっている。そして、前方張り出し部２と第一の断熱材対接部８と後述する図９に示される躯体側材２０（建物の躯体自体または躯体に取り付けられた胴縁あるいは間柱等の下地材）との間となる部分に断熱材受け入れ部２４が形成され、前方張り出し部２と第二の断熱材対接部９と躯体側材２０との間となる部分に断熱材受け入れ部２５が形成されている。
【００３５】
図１および８によく示されるように、前記基部３の前方張り出し部２側の端部には、前方張り出し部平面状部２ａの一部を切り起こすことにより、前記転倒防止片７が設けられ
ている。これらの転倒防止片７は、基部平面状部３ａと同一平面上に広がる状態で、基部平面状部３ａの端部から突出している
図１，６および８によく示されるように、前記基部３には、前方に隆起するビス留め部１０が一体的に設けられており、このビス留め部１０には基部平面状部３ａに対し傾斜した平面状のビス受け面１０ａが設けられている。このビス受け面１０ａには、ビス穴１１が設けられている。
【００３６】
前記前面部平面状部４ａの一部を切り起こすことにより、前方に突出する前方突出片１２と、この前方突出片１２の先端部の中央側部分から前面張り出し部２側に折り曲げられた第一の折り曲げ片１３と、前方突出片１２の先端部の両端部から前面張り出し部２と反対側に折り曲げられた一対の第二の折り曲げ片１４とが形成されている。前記第一の外壁材係合部５は、前方突出片１２と第一の折り曲げ片１３と前面部平面状部４ａのうちの前方突出片１２より図上下方の部分とにより構成される一方、前記第二の外壁材係合部６は、前方突出片１２と第二の折り曲げ片１４と前面部平面状部４ａのうちの前方突出片１２より図上上方の部分とにより構成されている（したがって、前方突出片１２は、第一の外壁材係合部５と第二の外壁材係合部６との両方において共通の部分である）。
【００３７】
図９は、本実施例における外断熱外壁構造を示している。なお、外壁材１５を建物躯体に取り付ける際には、一般に、図１０のように外壁材１５を横長とし、各外壁材１５の上端部と下端部とを突き合わせて、順次下段側から上段側へと外壁材１５を取り付けて行く場合（所謂横貼り）と、図１１のように外壁材１５を縦長とし、各外壁材１５の右端部と左端部とを突き合わせて、順次左から右または右から左側に外壁材１５を取り付けて行く場合（所謂縦貼り）とがある。図９は、図１０のように所謂横貼りを行う場合の外壁構造を示している。
【００３８】
外壁材１５は従来の外壁材と全く同様のものであり、各外壁材１５の上端部には、その外面側を切り欠くことにより第一の実部１６が形成されている一方、外壁材１５の下端部には、その内面側を切り欠くことにより第二の実部１７が形成されている。また、各外壁材１５の下端部には、第二の実部１７の内面に接するようにして係合溝１８が形成されている。
【００３９】
外壁材取付金具１は、ビス穴１１に挿通したビス１９を躯体側材２０（建物の躯体自体または躯体に取り付けられた胴縁あるいは間柱等の下地材）にねじ込み、ビス留めすることにより、基部３が躯体側材２０に沿わされた状態で、躯体側材２０に取り付けられる。したがって、前記従来の工法（ａ）のように、躯体側材２０と外壁材取付金具１との間に断熱材が介在されることはない。
【００４０】
なお、本実施例では、ビス受け面１０ａ、ひいてはビス穴１１が傾けて設けられているため、ビス１９の頭部が基部３と前面部４との間に存在することになるにもかかわらず、上記ビス留め第一の係合部作業を容易に行うことができる。
【００４１】
そして、第一の外壁材係合部５に下段側の外壁材１５（先に取り付けられる外壁材）の第一の実部１６が挿入されることにより、下段側の外壁材１５の上端部が外壁材取付金具１の第一の外壁材係合部５に係合される。他方、上段側の外壁材１５（後に取り付けられる外壁材）の下端部の係合溝１８内に第二の折り曲げ片１４が侵入するようにすることにより、上段側の外壁材１５の下端部が第二の外壁材係合部６に係合される。これにより、下段側の外壁材１５の上端部に上段側の外壁材１５の下端部が相じゃくり方式で突き合わされた状態で、各外壁材１５が外壁材取付金具１を介して躯体側材２０に取り付けられる。
【００４２】
断熱材２１は板状ないしはシート状をなしており、外装材１５の裏面と躯体側材２０との間に収容される。より詳しく言うと、下段側の断熱材２１の上端部は外壁材取付金具１の第一の断熱材対接部８より後方に存在する断熱材受け入れ部２４に受け入れられる一方、上段側の断熱材２１の下端部は外壁材取付金具１の第二の断熱材対接部９より後方に存在する断熱材受け入れ部２５に受け入れられ、下段の断熱材２１と上段の断熱材２１とが前方張り出し部２を介して端部同士を突き合わされた状態となり、外壁材１５の裏面と断熱材２１の層の前面との間には通気層２２が形成される。
【００４３】
なお、作業手順としては、下段側の断熱材２１は下段側外壁材１５の取り付け前に、上段側の断熱材２１は上段側外壁材１５の取り付け前にそれぞれ挿入される。また、各外壁材１５は傘釘２３等の手段を併用して躯体側材２０に固定してもよい。
【００４４】
また、躯体側材２０に対する外壁材取付金具１、下段側外壁材１５および上段側の外壁材１５の取り付け手順については詳しく説明しなかったが、上述のように断熱材２１の挿入作業が途中に入る点を除くと、躯体側材２０に対する外壁材取付金具１、下段側および上段側の外壁材１５の取り付け手順自体は、従来と同様に行うことができる。
【００４５】
この外断熱用外壁材取付金具１および外断熱外壁構造は、所謂横張りを行う場合のみならず、図１１のように所謂縦貼りを行う場合にも使用でき、この場合、外壁材取付金具１の取付方向は図１２のように躯体と平行な面内において９０度回転した方向になる（図１２は外壁材１５を順次左から右側に取り付けて行く場合を示している）。
【００４６】
この外断熱用外壁材取付金具１および外断熱外壁構造においては、外壁材取付金具１の前面部４と躯体側材２０との間に断熱材２１が収容されるので、前記従来の工法（ａ）のように、躯体または下地材と外壁材取付金具との間に断熱材を配設し、外壁取付金具用ビスを、断熱材を貫通させて、躯体または下地材にねじ込む必要がないし、前記従来の工法（ｂ）のように、断熱材の前面に胴縁を配設することなく、断熱材２１と外壁材１５との間に通気層２２を確保することができる。
【００４７】
したがって、前記「発明が解決しようとする課題」の項で述べたような、前記従来の工法（ａ），（ｂ）のような欠点を生じることがない。そして、施工作業性がよく、また寒冷地向け等のために断熱材２１の厚さを特に厚くすることも可能である。
【００４８】
また、前記従来の（ｃ）の工法と異なり、断熱材２１の層を、柱等により分断されることなく、連続させることができ、断熱性能を高めることができる。
【００４９】
また、本発明の外壁材取付金具１においては、外壁材取付金具１の前方張り出し部２の直上、直下（縦貼りの場合、真横）に断熱材２１が収容されるので、前方張り出し部２が前方に張り出す寸法が不可避的に大きくなる。しかしながら、本発明では、外壁材取付金具１の前方張り出し部２は、平面状をなす前方張り出し部平面状部２ａと、この前方張り出し部平面状部２ａの両側端部から立ち上がる前方張り出し部立ち上がり縁部２ｂとを有し、外壁材取付金具１の基部３は、平面状をなす基部平面状部３ａと、この基部平面状部３ａの両側端部から立ち上がる基部立ち上がり縁部３ｂとを有し、外壁材取付金具１の前面部４は、平面状をなす前面部平面状部４ａと、この前面部平面状部４ａの両側端部から立ち上がる前面部立ち上がり縁部４ｂとを有するので、比較的に薄い板厚で十分な強度を得ることができる。
【００５０】
しかも、本発明では、外壁材取付金具１の前方張り出し部平面状部２ａ、前方張り出し部立ち上がり縁部２ｂ、基部平面状部３ａ、基部立ち上がり縁部３ｂ、前面部平面状部４ａおよび前面部立ち上がり縁部４ｂを、一枚の金属板をプレス絞り加工することにより
形成し、前方張り出し部立ち上がり縁部２ｂと基部立ち上がり縁部３ｂ、および前方張り出し部立ち上がり縁部２ｂと前面部立ち上がり縁部４ｂとをそれぞれ互いに連続させているので、比較的に薄い板厚で、より大きな強度を得ることができる。
【００５１】
さらに、本実施例では、前方張り出し部２は前方張り出し部立ち上がり縁部２ｂの先端縁から外側に折れ曲がる前方張り出し部フランジ部２ｃ、基部３は基部立ち上がり縁部３ｂの先端縁から外側に折れ曲がる基部フランジ部３ｃ、前面部４は前面部立ち上がり縁部４ｂの先端縁から外側に折れ曲がる前面部フランジ部４ｃをそれぞれ有し、前方張り出し部フランジ部２ｃ、基部フランジ部３ｃおよび前面部フランジ部４ｃも前記プレス絞り加工で一緒に加工し、前方張り出し部フランジ部２ｃと基部フランジ部３ｃと、および前方張り出し部フランジ部２ｃと前面部フランジ部４ｃとを、それぞれ互いに連続させているので、比較的に薄い板厚で、より一層大きな強度を得ることができる。
【００５２】
また、本実施例では、転倒防止片７が設けられているので、外壁材取付金具１が上段側の外壁材の１５から作用される荷重により躯体側材２０に対して図１４上で反時計方向に転倒してしまう虞も防止できる。
【実施例２】
【００５３】
図１３は本発明の実施例２における外壁材取付金具１、図１４は本実施例における外断熱外壁構造を示している。本実施例においては、第二の断熱材対接部９は設けず、前面部立ち上がり縁部４ｂの立ち上がり幅を基部立ち上がり縁部３ｂの立ち上がり幅より大きくし、前面部フランジ部４ｃに実施例１における第二の断熱材対接部９の機能を果たさせている。他の構成は実施例１と同様である。
【００５４】
本実施例においても、実施例１の場合同様の作用効果を得ることができる。
（参考例１）
【００５５】
図１５〜２１は本発明の参考例１における外断熱用外壁材取付金具１を示している。実施例１の外壁材取付金具１との相違は、次に述べる点である。
【００５６】
基部３と前面部４は、前面部４から互いに反対の向きに立ち上がっている。すなわち、所謂横張りを行う場合で言えば、基部３は前方張り出し部２から上方に立ち上がっているのに対し、前面部４は前方張り出し部２から下方に立ち上がっている。基部３には、転倒防止片７が設けられていない。基部３のビス受け面１０ａおよびビス穴１１は、傾けられておらず、基部平面状部３ａと平行となっている。
【００５７】
他の構成は、実施例１の場合と同様であり、前方張り出し部平面状部２ａ、前方張り出し部立ち上がり縁部２ｂ、前方張り出し部フランジ部２ｃ、基部平面状部３ａ、基部立ち上がり縁部３ｂ、基部フランジ部３ｃ、前面部平面状部４ａ、前面部立ち上がり縁部４ｂおよび前面部フランジ部４ｃは、金属板をプレス絞り加工することにより形成されており、前方張り出し部立ち上がり縁部２ｂと基部立ち上がり縁部３ｂ、前方張り出し部立ち上がり縁部２ｂと前面部立ち上がり縁部４ｂ、前方張り出し部フランジ部２ｃと基部フランジ部３ｃ、および前方張り出し部フランジ部２ｃと前面部フランジ部４ｃとは、それぞれ互いに連続している点も同様である。
【００５８】
図２２は、本参考例における外断熱外壁構造を示している（所謂横貼りを行う場合の外壁構造を示している）。
【００５９】
本参考例においても、実施例１，２の場合と同様にして、外壁材１５を外壁材取付金具１を介して躯体に取り付けることができる。また、下段側の断熱材２１の上端部は外壁材
取付金具１の第一の断熱材対接部８より後方に存在する断熱材受け入れ部２４に受け入れられる一方、上段側の断熱材２１の下端部は外壁材取付金具１の第二の断熱材対接部９より後方に存在する断熱材受け入れ部２５に受け入れられる。この結果、断熱材２１は、外装材１５の裏面と躯体側材２０との間に収容され、外壁材１５の裏面と断熱材２１の層の前面との間には通気層２２が形成される。
【００６０】
これにより、本参考例においても、実施例１，２の場合と同様の作用効果を得ることができる。
（参考例２）
【００６１】
図２３は本発明の参考例２における外断熱外壁構造、図２４は本参考例における外壁材取付金具１を示している。
【００６２】
本参考例においては、外壁材取付金具１に前面部４は設けられておらず、前方張り出し部２の前端部に直接、第一および第２の折り曲げ片１３，１４が設けられている。また、図２４によく示されるように、基部３の両側端から前方に折れ曲がる側壁部２６と、これらの側壁部２６の前端部から外側に直角方向に折れ曲がる折り曲げ片２７とが設けられている。そして、第一の外壁材係合部５は、前方張り出し部２の前端部付近と第一の折り曲げ片１３と側壁部２６の折り曲げ片２７のうちの前方張り出し部２より図上下方の部分とにより構成される一方、第二の外壁材係合部６は、前方張り出し部２の前端部付近と第二の折り曲げ片１４と側壁部２６の折り曲げ片２７のうちの前方張り出し部２より図上上方の部分とにより構成されている。前方張り出し部２、基部３および側壁部２６は絞り加工では形成されおらず、前方張り出し部２に対する基部３の加工、基部３に対する側壁部２７の加工は、それぞれ単純なプレス曲げ加工である。ビス穴１１は基部３の隆起されていない部分に設けられている。
【００６３】
他の構成は、実施例１の場合と同様である。本参考例においては、前方張り出し部２、基部３および側壁部２６が単純なプレス曲げ加工により形成されているので、前記実施例１，２および参考例１のように外壁材取付金具１の強度を高めることはできないが、その他の点については実施例１，２および参考例１と同様の作用効果を得ることができる。
【００６４】
また、本発明においては、基部には、ビス穴の代わりに、躯体または下地材に打ち込まれる釘を挿通するための釘穴を設けてもよいし、ビス穴および釘穴の両方を設けてもよい。
【産業上の利用可能性】
【００６５】
以上のように本発明による外断熱用外壁材取付金具および外断熱外壁構造は、建物の躯体外に断熱材を配設する所謂外断熱構造の建物において、前記躯体に外壁材を取り付けるための外壁材取付金具、およびこの外壁材取付金具を用いた外断熱外壁構造として有用である。
【符号の説明】
【００６６】
１    外断熱用外壁材取付金具
２    前方張り出し部
２ａ  前方張り出し部平面状部
２ｂ  前方張り出し部立ち上がり縁部
２ｃ  前方張り出し部フランジ部
３    基部
３ａ  基部平面状部
３ｂ  基部立ち上がり縁部
３ｃ  基部フランジ部
４    前面部
４ａ  前面部平面状部
４ｂ  前面部立ち上がり縁部
４ｃ  前面部フランジ部
５    第一の外壁材係合部
６    第二の外壁材係合部
８    第一の断熱材対接部
９    第二の断熱材対接部
１２    前方突出片
１３    第一の折り曲げ片
１４    第二の折り曲げ片
１５    外壁材
１９    ビス
２０    躯体側材（建物の躯体自体または下地材）
２１    断熱材
２２    通気層
２４，２５  断熱材受け入れ部
２７    折り曲げ片
【図１】
0005615611.tif 000002
【図２】
0005615611.tif 000003
【図３】
0005615611.tif 000004
【図４】
0005615611.tif 000005
【図５】
0005615611.tif 000006
【図６】
0005615611.tif 000007
【図７】
0005615611.tif 000008
【図８】
0005615611.tif 000009
【図９】
0005615611.tif 000010
【図１０】
0005615611.tif 000011
【図１１】
0005615611.tif 000012
【図１２】
0005615611.tif 000013
【図１３】
0005615611.tif 000014
【図１４】
0005615611.tif 000015
【図１５】
0005615611.tif 000016
【図１６】
0005615611.tif 000017
【図１７】
0005615611.tif 000018
【図１８】
0005615611.tif 000019
【図１９】
0005615611.tif 000020
【図２０】
0005615611.tif 000021
【図２１】
0005615611.tif 000022
【図２２】
0005615611.tif 000023
【図２３】
0005615611.tif 000024
【図２４】
0005615611.tif 000025